(57)【要約】【課題】  使用者の体質や体調あるいは使用環境に応じて、表示画面の輝度を、赤、緑、及び青毎に個別に調整して最適な視認性が得られる液晶表示装置を提供する。【解決手段】  使用者Ｍの操作により、入力装置２１から制御回路２２に階調特性変更のための動作指示信号ｃが送出される。制御回路２２から階調データ選択信号ｄが階調データメモリ２３に送出される。また、制御回路２２から画像データ送信信号ｅが画像データメモリ２４へ送出される。階調データメモリ２３から、階調データ選択信号ｄに対応する階調データｇが出力される。画像データメモリ２４は、画像データ送信信号ｅを受け、画像データｆを出力する。階調電圧生成回路２５は、階調データｇを受け取る一方、画像データｆを受け取り、駆動信号ｈを出力する。ドライバ回路２６は、駆動信号ｈを受け取り、赤駆動信号ｄｒ、緑駆動信号ｄｇ、及び青駆動信号ｄｂを液晶パネル２７へ送出する。【選択図】図１
2005326790.tif 000002
【特許請求の範囲】
【請求項１】
画素を赤（Ｒ），緑（Ｇ），青（Ｂ）の３色で分割したサブ画素に対応するサブ画素データ信号を入力する複数のデータ信号線、走査信号を入力する複数の走査信号線、及び前記各データ信号線と前記各走査信号線との交差箇所に設けられた複数の液晶セルを有し、これらの液晶セルのうちの前記走査信号によって選択された液晶セルに前記サブ画素データ信号を供給することによって前記サブ画素データ信号に対応したカラー画像を表示する液晶パネルと、
前記サブ画素データ信号に階調を与えるための複数の階調電圧を生成する階調電圧生成回路とを有する液晶表示装置であって、
前記カラー画像の階調を、前記赤，緑，青の各色毎に任意に調整する階調調整手段が設けられていることを特徴とする液晶表示装置。
【請求項２】
前記赤，緑，青の各色毎の階調特性データを複数ずつ記憶する階調データ記憶手段が設けられ、
前記階調調整手段は、
前記階調データ記憶手段に記憶されている前記各色毎の階調特性データを任意に選択する構成とされ、
前記階調電圧生成回路は、
前記選択された前記各色毎の階調特性データに基づいて前記各色毎に前記階調電圧を生成する構成とされていることを特徴とする請求項１記載の液晶表示装置。
【請求項３】
前記階調調整手段は、
前記階調データ記憶手段に記憶されている前記各色毎の階調特性データを当該液晶表示装置の使用者が任意に選択する構成とされていることを特徴とする請求項２記載の液晶表示装置。
【請求項４】
当該液晶表示装置の周辺の光を検出して当該光の周波数特性を表す光検出信号を生成する光検出手段が設けられ、
前記階調調整手段は、
前記階調データ記憶手段に記憶されている前記各色毎の階調特性データを前記光検出信号が表す前記周波数特性に基づいて選択する構成とされていることを特徴とする請求項２記載の液晶表示装置。
【請求項５】
当該液晶表示装置の周辺の画像を検出して当該画像を構成する赤，緑，青の各色毎のレベルを表す画像信号を生成する撮像手段が設けられ、
前記階調調整手段は、
前記階調データ記憶手段に記憶されている前記各色毎の階調特性データを前記画像信号が表す前記各色毎のレベルに基づいて選択する構成とされていることを特徴とする請求項２記載の液晶表示装置。
【請求項６】
画素を赤（Ｒ），緑（Ｇ），青（Ｂ）の３色で分割したサブ画素に対応するサブ画素データ信号を入力する複数のデータ信号線、走査信号を入力する複数の走査信号線、及び前記各データ信号線と前記各走査信号線との交差箇所に設けられた複数の液晶セルを有し、これらの液晶セルのうちの前記走査信号によって選択された液晶セルに前記サブ画素データ信号を供給することによって前記サブ画素データ信号に対応したカラー画像を表示する液晶パネルと、
前記サブ画素データ信号に階調を与えるための複数の階調電圧を生成する階調電圧生成回路とを有する液晶表示装置に用いられ、
前記カラー画像の階調を、前記赤，緑，青の各色毎に任意に調整することを特徴とする駆動方法。
【請求項７】
請求項１乃至５のうちの一に記載の液晶表示装置を備えてなることを特徴とする電子機器。
【発明の詳細な説明】
【技術分野】
【０００１】
この発明は、液晶表示装置、該液晶表示装置に用いられる駆動方法、及び該液晶表示装置を備えた電子機器に係り、特に、使用者の体質や体調、あるいは使用環境によって表示画面の視認性に与えられる影響を軽減する場合に用いて好適な液晶表示装置、該液晶表示装置に用いられる駆動方法、及び該液晶表示装置を備えた電子機器に関する。
【背景技術】
【０００２】
パーソナルコンピュータ、携帯電話機などの携帯情報端末、及びカーナビゲーションシステムなどに備えられている液晶表示装置では、予め設定された階調特性を基に画面表示が行われる。このような液晶表示装置では、予め１種類の階調特性のみが設定されているため、表示画像の色調、使用者の体質や体調、あるいは周辺光などの使用環境により、表示画面の視認性が変化し、見にくくなるという問題点がある。このため、このような問題点を改善した液晶表示装置が提案されている。
【０００３】
従来、この種の技術としては、たとえば、次のような文献に記載されたものがある。
特許文献１に記載された液晶表示装置は、図１０に示すように、入力端子１と、階調電圧回路２と、コントロールＩＣ３と、ゲートドライバＩＣ４と、ソースドライバＩＣ５と、液晶パネル６とから構成されている。この液晶表示装置では、階調電圧回路２は、入力端子１から得られる階調選択信号ａに対応する階調補正基準電圧値ｂをソースドライバＩＣ５に送出する。コントロールＩＣ３は、タイミング制御を行うものであり、ゲートドライバＩＣ４及びソースドライバＩＣ５を制御する。
【０００４】
ゲートドライバＩＣ４は、シフトレジスタ回路及びバッファ回路などから構成され、液晶パネル６のＴＦＴ（Thin Film Transistor、薄膜トランジスタ）のゲートを駆動する。
ソースドライバＩＣ５は、シフトレジスタ回路及びラッチ回路などから構成され、コントロールＩＣ３から送られてくる任意の階調をもつ表示データに対して、階調電圧回路２から出力される階調補正基準電圧値ｂを用いて、液晶パネル６の各画素に電圧を印加する。また、階調電圧回路２は、図１１に示すように、複数の階調特性１１，１２，１３，１４を有し、階調選択信号ａに基づき、階調選択回路１５により、いずれかの階調特性が選択される。このように、複数の階調特性の中から最適なものが選択され、より良い画面表示が得られる。
【０００５】
特許文献２に記載された画像表示装置では、表示すべき画像の１フレーム分が画像記憶手段に記憶される。また、外部接続されたポインティングデバイスの指示を読み取ったＣＰＵの制御に応じて、情報読取手段により上記画像記憶手段から読み出された画像が、表示手段に予め設定されたデフォルト値で表示される。このとき、上記ポインティングデバイスで指定された特定画像部分に対応する上記デフォルト値のうちの色合いが画面上で確認されながら色調整手段で任意の色に調整され、上記デフォルト値のうちの明るさが画面上で確認されながら輝度調整手段で任意の輝度レベルになるようにガンマカーブが調整される。このため、画像の変化を見ながらガンマカーブを調整する試行錯誤的な方法に比較して、変換調整が容易で、かつ操作者の感覚的な負担も軽減される。
【０００６】
特許文献３に記載された表示装置では、外光の色温度が検出部で検出され、同色温度に応じて補正回路により映像信号が補正される。補正回路は、ホワイトバランス調整やガンマ補正を行う。Ｒ，Ｇ，Ｂの光学素子のうちのＢの劣化速度がＲ，Ｇの劣化速度よりも速い場合、外光の色温度が低いときにＢの発光強度を抑制するか、Ｒ，Ｇの発光強度を高める。補正された映像信号は、ディジタルからアナログに変換され、これに基づいて表示パネルに画像が表示される。これにより、Ｒ，Ｇ，Ｂ間で輝度の劣化の程度が平滑化され、色調ずれが低減され、表示内容の視認性が向上する。
【特許文献１】特開平１１−３３７９０９号公報（要約書、図１、図３）
【特許文献２】特開２００３−１２２３３６号公報（第１頁、図１）
【特許文献３】特開２００３−２２８３３０号公報（要約書、図１）
【発明の開示】
【発明が解決しようとする課題】
【０００７】
しかしながら、上記従来の液晶表示装置では、次のような問題点があった。
すなわち、特許文献１に記載された液晶表示装置では、複数の階調特性の中から混色状態の階調特性が決定されるため、３原色の各色まで細分化した細かい階調特性の調整ができない。このため、十分な視認性が得られないという問題点がある。近年では、この液晶表示装置が設けられたノート型パソコンや携帯電話機、ディジタルカメラ、カーナビゲーションシステムなどの電子機器が普及し、様々な使用者により、あらゆる環境下で使用される状況になっているため、上記の問題点を早急に解決する必要がある。
【０００８】
また、特許文献２に記載された画像表示装置は、ＣＰＵを中心としたコンピュータシステムの構成となっているため、装置規模が大きくなるという問題点がある。また、同画像表示装置は、ワークステーションなどでデザインを行うときに色やガンマ特性を簡単に変更する場合に有効なものであり、この発明とは、主旨が異なる。
【０００９】
特許文献３に記載された表示装置では、表示パネルの劣化対策が主な目的であり、劣化対策をすることで視認性が悪化することを抑制する場合に有効なものであり、この発明とは、主旨が異なる。
【課題を解決するための手段】
【００１０】
上記課題を解決するために、請求項１記載の発明は、画素を赤（Ｒ），緑（Ｇ），青（Ｂ）の３色で分割したサブ画素に対応するサブ画素データ信号を入力する複数のデータ信号線、走査信号を入力する複数の走査信号線、及び前記各データ信号線と前記各走査信号線との交差箇所に設けられた複数の液晶セルを有し、これらの液晶セルのうちの前記走査信号によって選択された液晶セルに前記サブ画素データ信号を供給することによって前記サブ画素データ信号に対応したカラー画像を表示する液晶パネルと、前記サブ画素データ信号に階調を与えるための複数の階調電圧を生成する階調電圧生成回路とを有する液晶表示装置に係り、前記カラー画像の階調を、前記赤，緑，青の各色毎に任意に調整する階調調整手段が設けられていることを特徴としている。
【００１１】
請求項２記載の発明は、請求項１記載の液晶表示装置に係り、前記赤，緑，青の各色毎の階調特性データを複数ずつ記憶する階調データ記憶手段が設けられ、前記階調調整手段は、前記階調データ記憶手段に記憶されている前記各色毎の階調特性データを任意に選択する構成とされ、前記階調電圧生成回路は、前記選択された前記各色毎の階調特性データに基づいて前記各色毎に前記階調電圧を生成する構成とされていることを特徴としている。
【００１２】
請求項３記載の発明は、請求項２記載の液晶表示装置に係り、前記階調調整手段は、前記階調データ記憶手段に記憶されている前記各色毎の階調特性データを当該液晶表示装置の使用者が任意に選択する構成とされていることを特徴としている。
【００１３】
請求項４記載の発明は、請求項２記載の液晶表示装置に係り、当該液晶表示装置の周辺の光を検出して当該光の周波数特性を表す光検出信号を生成する光検出手段が設けられ、前記階調調整手段は、前記階調データ記憶手段に記憶されている前記各色毎の階調特性データを前記光検出信号が表す前記周波数特性に基づいて選択する構成とされていることを特徴としている。
【００１４】
請求項５記載の発明は、請求項２記載の液晶表示装置に係り、当該液晶表示装置の周辺の画像を検出して当該画像を構成する赤，緑，青の各色毎のレベルを表す画像信号を生成する撮像手段が設けられ、前記階調調整手段は、前記階調データ記憶手段に記憶されている前記各色毎の階調特性データを前記画像信号が表す前記各色毎のレベルに基づいて選択する構成とされていることを特徴としている。
【００１５】
請求項６記載の発明は、駆動方法に係り、画素を赤（Ｒ），緑（Ｇ），青（Ｂ）の３色で分割したサブ画素に対応するサブ画素データ信号を入力する複数のデータ信号線、走査信号を入力する複数の走査信号線、及び前記各データ信号線と前記各走査信号線との交差箇所に設けられた複数の液晶セルを有し、これらの液晶セルのうちの前記走査信号によって選択された液晶セルに前記サブ画素データ信号を供給することによって前記サブ画素データ信号に対応したカラー画像を表示する液晶パネルと、前記サブ画素データ信号に階調を与えるための複数の階調電圧を生成する階調電圧生成回路とを有する液晶表示装置に用いられ、前記カラー画像の階調を、前記赤，緑，青の各色毎に任意に調整することを特徴としている。
【００１６】
請求項７記載の発明は、電子機器に係り、請求項１乃至５のうちの一に記載の液晶表示装置を備えてなることを特徴としている。
【発明の効果】
【００１７】
この発明の構成によれば、カラー画像の階調を、赤，緑，青の各色毎に任意に調整する階調調整手段が設けられているので、使用者の体質や体調及び周辺環境に応じた最適な階調特性が同使用者の意図通りに選択され、いかなる状況下においても十分な視認性を確保できる。また、赤（Ｒ），緑（Ｇ），青（Ｂ）毎の階調特性データが複数ずつ記憶された階調データ記憶手段が設けられ、階調特性データが任意に選択されるので、カラー画像の階調が、赤，緑，青の各色毎に任意に調整される。このため、使用者の体質や体調及び周辺環境に応じた最適な階調特性が同使用者の意図通りに選択されるので、いかなる状況下においても十分な視認性を確保できる。また、液晶表示装置を備えた電子機器の周辺の光を検出して光検出信号を生成する光検出手段が設けられているので、カラー画像の階調が、同光検出信号の周波数特性に応じて、赤，緑，青の各色毎に自動的に変更することが可能となるため、使用者が操作することなく、周辺の光の影響による液晶パネルの視認性の悪化を改善できる。また、液晶表示装置を備えた電子機器の周辺の画像を検出して画像信号を生成する撮像手段が設けられているので、カラー画像の階調が、同画像信号の赤，緑，青の各色毎のレベルに応じて、各色毎に自動的に変更することが可能となるため、使用者が操作することなく、周辺の光の影響による液晶パネル２７の視認性の悪化が改善される。
【発明を実施するための最良の形態】
【００１８】
カラー画像の階調を、赤，緑，青の各色毎に使用者が任意に調整する、あるいは光センサなどによる周辺光の検出結果に基づいて調整する構成の液晶表示装置を提供する。
【実施例１】
【００１９】
図１は、この発明の第１の実施例である液晶表示装置を備えた電子機器の要部の電気的構成を示すブロック図である。
この例の電子機器は、同図に示すように、携帯電話機２０であり、入力装置２１と、制御回路２２と、階調データメモリ２３と、画像データメモリ２４と、階調電圧生成回路２５と、ドライバ回路２６と、液晶パネル２７とから構成されている。入力装置２１は、携帯電話機２０のボタン操作部であり、使用者Ｍの任意の操作に基づいて、液晶パネル２７の赤（Ｒ），緑（Ｇ），青（Ｂ）毎の階調特性変更のための動作指示信号ｃを制御回路２２に送出する。制御回路２２は、入力装置２１からの動作指示信号ｃに基づいて階調データ選択信号ｄを階調データメモリ２３に送出すると共に、画像データ送信信号ｅを画像データメモリ２４へ送出する。
【００２０】
階調データメモリ２３は、たとえばＲＯＭ（リードオンリメモリ）などで構成され、赤（Ｒ），緑（Ｇ），青（Ｂ）毎の階調特性データを複数ずつ記憶し、階調データ選択信号ｄにより選択された階調データｇを出力する。画像データメモリ２４は、制御回路２２からの画像データ送信信号ｅを受け、赤（Ｒ），緑（Ｇ），青（Ｂ）毎の画像データｆを階調電圧生成回路２５へ送出する。階調電圧生成回路２５は、階調データメモリ２３から階調データｇを受け取る一方、画像データメモリ２４から画像データｆを受け取り、同階調データｇに基づいて画像データｆの赤（Ｒ），緑（Ｇ），青（Ｂ）毎に階調電圧を生成し、ドライバ回路２６を駆動するための駆動信号ｈを出力する。
【００２１】
ドライバ回路２６は、階調電圧生成回路２５から駆動信号ｈを受け取り、赤駆動信号ｄｒ、緑駆動信号ｄｇ及び青駆動信号ｄｂを液晶パネル２７へ送出する。液晶パネル２７は、図示しない２枚の平行に配置されたガラス基板の間に液晶材料が挟みこまれ、同液晶材料に印加される電圧により液晶分子の配向方向が制御されて、透過する光の量が変化するものであり、画素を赤（Ｒ），緑（Ｇ），青（Ｂ）の３色で分割したサブ画素に対応するサブ画素データ信号（赤駆動信号ｄｒ、緑駆動信号ｄｇ及び青駆動信号ｄｂ）を入力する複数のデータ信号線Ｘ１，…，Ｘｎ、走査信号Ｖを入力する複数の走査信号線Ｙ１，…，Ｙｍ、及び同データ信号線Ｘ１，…，Ｘｎと同走査信号線Ｙ１，…，Ｙｍとの交差箇所に設けられた複数の液晶セルＺi,j （ｉ＝１，…，ｎ、ｊ＝１，…，ｍ）を有し、これらの液晶セルＺi,j のうちの走査信号Ｖによって選択された液晶セルに上記サブ画素データ信号を供給することによって同サブ画素データ信号に対応したカラー画像を表示する。
【００２２】
図２は、図１中の階調データメモリ２３の電気的構成を示すブロック図である。
この階調データメモリ２３は、同図２に示すように、赤の階調特性データ領域３１と、赤の階調データ選択回路３２と、緑の階調特性データ領域３３と、緑の階調データ選択回路３４と、青の階調特性データ領域３５と、青の階調データ選択回路３６とから構成されている。赤の階調特性データ領域３１は、赤の階調特性を設定するためのデータＲ１，Ｒ２，Ｒ３，Ｒ４を記憶する。赤の階調データ選択回路３２は、デコーダなどで構成され、階調データ選択信号ｄに基づいて、データＲ１，Ｒ２，Ｒ３，Ｒ４のうちからいずれか一つを選択して赤の階調データｇｒを出力する。
【００２３】
緑の階調特性データ領域３３は、緑の階調特性を設定するためのデータＧ１，Ｇ２，Ｇ３，Ｇ４を記憶する。緑の階調データ選択回路３４は、デコーダなどで構成され、階調データ選択信号ｄに基づいて、データＧ１，Ｇ２，Ｇ３，Ｇ４のうちからいずれか一つを選択して緑の階調データｇｇを出力する。青の階調特性データ領域３５は、青の階調特性を設定するためのデータＢ１，Ｂ２，Ｂ３，Ｂ４を記憶する。青の階調データ選択回路３６は、デコーダなどで構成され、階調データ選択信号ｄに基づいて、データＢ１，Ｂ２，Ｂ３，Ｂ４のうちからいずれか一つを選択して青の階調データｇｂを出力する。
【００２４】
図３は、階調データ選択信号ｄに基づいてデータＲ１，Ｒ２，Ｒ３，Ｒ４、データＧ１，Ｇ２，Ｇ３，Ｇ４、及びデータＢ１，Ｂ２，Ｂ３，Ｂ４が選択される論理を示す図、図４は、階調データメモリ２３の赤の階調特性データ領域３１に記憶されている赤の階調特性を示す図、図５は、階調データメモリ２３の緑の階調特性データ領域３３に記憶されている緑の階調特性を示す図、及び図６が、階調データメモリ２３の青の階調特性データ領域３５に記憶されている青の階調特性を示す図である。
これらの図４、図５及び図６では、横軸に相対階調、及び縦軸に相対輝度がとられ、同相対階調は、画像データのとり得る最大階調が１、及び最小階調が０、相対輝度は、液晶パネル８のとり得る最大輝度が１、及び最小輝度が０となっている。
これらの図を参照して、この例の液晶表示装置に用いられる駆動方法の処理内容について説明する。
この駆動方法では、液晶パネル２７に表示されるカラー画像の階調が、使用者Ｍの任意の操作に基づいて、赤，緑，青の各色毎に調整される。
【００２５】
すなわち、使用者Ｍは、液晶パネル２７に表示された画像を見たとき、この表示画像が見にくい、つまり視認性が悪い場合は、入力装置２１に対して画面の階調特性を変更するための操作を行う。すると、入力装置２１から動作指示信号ｃが制御回路２２に送出され、同制御回路２２から階調データ選択信号ｄが階調データメモリ２３に送出される。階調データ選択信号ｄは、たとえば図３に示すように、データバスＤＢ５，ＤＢ４，ＤＢ３，ＤＢ２，ＤＢ１，ＤＢ０からなる６ビットバスで構成され、ＤＢ５＝０かつＤＢ４＝０のとき、赤の階調特性のデータＲ１が選択され、ＤＢ５＝０かつＤＢ４＝１のとき、赤の階調特性のデータＲ２が選択され、ＤＢ５＝１かつＤＢ４＝０のとき、赤の階調特性のデータＲ３が選択され、ＤＢ５＝１かつＤＢ４＝１のとき、赤の階調特性のデータＲ４が選択される。
【００２６】
同様に、ＤＢ３とＤＢ２との組み合わせにより、緑の階調特性のデータＧ１，Ｇ２，Ｇ３，Ｇ４が選択され、ＤＢ１とＤＢ０との組み合わせにより、青の階調特性のデータＢ１，Ｂ２，Ｂ３，Ｂ４が選択される。このように選択された階調データｇが階調データメモリ２３から出力され、階調電圧生成回路６で画像データｆに対して階調特性が付加されて駆動信号ｈへ変換される。赤の階調特性は、図４に示すように、いずれのデータＲ１，Ｒ２，Ｒ３，Ｒ４における特性でも、相対階調が大きくなるに従って相対輝度が上昇するが、その上昇の仕方、つまり特性は各々異なっている。同様に、緑の階調特性も、図５に示すように、データＧ１，Ｇ２，Ｇ３，Ｇ４の特性が各々異なっている。また、青の階調特性も、図６に示すように、データＢ１，Ｂ２，Ｂ３，Ｂ４の特性が各々異なっている。以上のような階調特性が選択されて液晶パネル２７が駆動される。使用者Ｍは、階調特性の変更により視認性が変化した表示画像を見て視認性がまだ悪いと判断すれば、再び入力装置２１に対して階調特性を変更するための操作を行う。
【００２７】
以上のように、この第１の実施例では、赤（Ｒ），緑（Ｇ），青（Ｂ）毎の階調特性データが複数ずつ記憶された階調データメモリ２３が設けられ、階調データ選択信号ｄにより階調特性データが選択されるので、カラー画像の階調が、赤，緑，青の各色毎に任意に調整される。このため、使用者の体質や体調及び周辺環境に応じた最適な階調特性が同使用者の意図通りに選択されるので、いかなる状況下においても十分な視認性が確保される。
【実施例２】
【００２８】
図７は、この発明の第２の実施例である液晶表示装置を備えた携帯電話機の要部の電気的構成を示すブロック図であり、第１の実施例を示す図１中の要素と共通の要素には共通の符号が付されている。
この例の携帯電話機２０Ａでは、図１中の入力装置２１及び制御回路２２に代えて、光センサ４０及び制御回路２２Ａが設けられている。光センサ４０は、携帯電話機２０Ａの周辺の光を検出して当該光の周波数特性を表す光検出信号Ｐを生成する。制御回路２２Ａは、同制御回路２２Ａ全体を制御するＣＰＵ（中央処理装置）２２ａ及び同ＣＰＵ２２ａを動作させるための選択制御プログラムが記録されたＲＯＭ（リード・オンリ・メモリ）２２ｂを有している。特に、この実施例では、制御回路２２Ａは、階調データメモリ２３に記憶されている各色毎の階調特性データを光検出信号Ｐが表す周波数特性に基づいて選択する。他は、図１と同様の構成である。
【００２９】
図８は、光センサ４０から出力される光検出信号Ｐの周波数特性を示す図であり、縦軸に光検出信号Ｐのレベルを電圧に変換したレベル、及び横軸に光検出信号Ｐの波長がとられている。
この図を参照して、この例の液晶表示装置に用いられる駆動方法の処理内容について説明する。
この駆動方法では、液晶パネル２７に表示されるカラー画像の階調が、光センサ４０で生成された光検出信号Ｐに基づいて、赤，緑，青の各色毎に調整される。すなわち、光センサ４０により、携帯電話機２０Ａの周辺の光が検出されて当該光の周波数特性を表す光検出信号Ｐが生成されて制御回路２２Ａに送出され、同制御回路２２Ａから同光検出信号Ｐの周波数特性に基づいて設定された階調データ選択信号ｄが階調データメモリ２３に送出される。この場合、図８に示すように、光検出信号Ｐの波長が５４０ｎｍ近辺（緑色）でレベルが最高値になっているため、液晶パネル２７の緑色近辺の輝度が低下するように、たとえば図５中のデータＧ４が選択され、制御回路２２Ａから階調データ選択信号ｄが送出される。この後、第１の実施例と同様の処理が行われる。
【００３０】
以上のように、この第２の実施例では、携帯電話機２０Ａの周辺の光を検出して光検出信号Ｐを生成する光センサ４０が設けられているので、カラー画像の階調が、同光検出信号Ｐの周波数特性に応じて、赤，緑，青の各色毎に自動的に変更することが可能となるため、使用者が操作することなく、周辺の光の影響による液晶パネル２７の視認性の悪化が改善される。
【実施例３】
【００３１】
図９は、この発明の第３の実施例である液晶表示装置を備えた携帯電話機の要部の電気的構成を示すブロック図である。
この例の携帯電話機２０Ｂでは、図１中の入力装置２１及び制御回路２２に代えて、ディジタルカメラ５０及び制御回路２２Ｂが設けられている。ディジタルカメラ５０は、携帯電話機２０Ｂの周辺の画像を検出して当該画像を構成する赤，緑，青の各色毎のレベルを表す画像信号ＣＶを生成する。この画像信号ＣＶは、赤，緑，青のコンポーネント信号ｃｒ，ｃｇ，ｃｂからなっている。制御回路２２Ｂは、階調データメモリ２３に記憶されている各色毎の階調特性データをコンポーネント信号ｃｒ，ｃｇ，ｃｂのレベルに基づいて選択する。他は、図１と同様の構成である。
【００３２】
この例の液晶表示装置に用いられる駆動方法では、液晶パネル２７に表示されるカラー画像の階調が、ディジタルカメラ５０で生成された画像信号ＣＶに基づいて、赤，緑，青の各色毎に調整される。すなわち、ディジタルカメラ５０により、携帯電話機２０Ｂの周辺の画像が検出されて当該画像を構成する赤，緑，青のコンポーネント信号ｃｒ，ｃｇ，ｃｂが生成されて制御回路２２Ｂに送出され、同制御回路２２Ｂから同コンポーネント信号ｃｒ，ｃｇ，ｃｂのレベルに基づいて設定された階調データ選択信号ｄが階調データメモリ２３に送出される。この場合、たとえば、コンポーネント信号ｃｇのレベルがコンポーネント信号ｃｒ，ｃｂのレベルよりも高ければ、液晶パネル２７の緑色近辺の輝度が低下するように、たとえば図５中のデータＧ４が選択され、制御回路２２Ｂから階調データ選択信号ｄが送出される。この後、第１の実施例と同様の処理が行われる。
【００３３】
以上のように、この第３の実施例では、携帯電話機２０Ｂの周辺の画像を検出して画像信号ＣＶを生成するディジタルカメラ５０が設けられているので、カラー画像の階調が、赤，緑，青のコンポーネント信号ｃｒ，ｃｇ，ｃｂのレベルに応じて、赤，緑，青の各色毎に自動的に変更することが可能となるため、使用者が操作することなく、周辺の光の影響による液晶パネル２７の視認性の悪化が改善される。
【００３４】
以上、この発明の実施例を図面により詳述してきたが、具体的な構成は同実施例に限られるものではなく、この発明の要旨を逸脱しない範囲の設計の変更などがあっても、この発明に含まれる。
たとえば、階調データメモリ２３は、赤、緑及び青の各色にそれぞれ４種類の階調データが設定されているが、この数は液晶表示装置の使用目的に合わせて増減しても良い。
また、図４、図５及び図６に示す各階調特性のカーブは、他のカーブでも良い。また、液晶表示装置を備えた電子機器は、携帯電話機に限らず、たとえば、ノート型パソコンなどでも良い。
【産業上の利用可能性】
【００３５】
この発明は、液晶表示装置を備えた電子機器全般に適用でき、使用者の体質や体調による個人差、あるいは周辺環境の影響による液晶パネルの視認性の悪さを改善する場合に利用できる。また、使用者が色覚異常の場合にも、有効に利用できる。
【図面の簡単な説明】
【００３６】
【図１】この発明の第１の実施例である液晶表示装置を備えた電子機器の要部の電気的構成を示すブロック図である。
【図２】図１中の階調データメモリ２３の電気的構成を示すブロック図である。
【図３】階調データ選択信号ｄに基づいてデータＲ１，Ｒ２，Ｒ３，Ｒ４、データＧ１，Ｇ２，Ｇ３，Ｇ４、及びデータＢ１，Ｂ２，Ｂ３，Ｂ４が選択される論理を示す図である。
【図４】階調データメモリ２３の赤の階調特性データ領域３１に記憶されている赤の階調特性を示す図である。
【図５】階調データメモリ２３の緑の階調特性データ領域３３に記憶されている緑の階調特性を示す図である。
【図６】階調データメモリ２３の青の階調特性データ領域３５に記憶されている青の階調特性を示す図である。
【図７】この発明の第２の実施例である液晶表示装置を備えた携帯電話機の要部の電気的構成を示すブロック図である。
【図８】光センサ４０から出力される受光信号Ｐの周波数特性を示す図である。
【図９】この発明の第３の実施例である液晶表示装置を備えた携帯電話機の要部の電気的構成を示すブロック図である。
【図１０】従来の液晶表示装置の電気的構成を示すブロック図である。
【図１１】図１０中の階調電圧回路２の電気的構成を示すブロック図である。
【符号の説明】
【００３７】
２０，２０Ａ，２０Ｂ      携帯電話機（電子機器）
２１      入力装置（階調調整手段の一部）
２２，２２Ａ，２２Ｂ      制御回路（階調調整手段の一部）
２３      階調データメモリ（階調データ記憶手段）
２４      画像データメモリ（液晶表示装置の一部）
２５      階調電圧生成回路（液晶表示装置の一部）
２６      ドライバ回路（液晶表示装置の一部）
２７      液晶パネル
３１      赤の階調特性データ領域（階調データ記憶手段の一部）
３２      赤の階調データ選択回路（階調データ記憶手段の一部）
３３      緑の階調特性データ領域（階調データ記憶手段の一部）
３４      緑の階調データ選択回路（階調データ記憶手段の一部）
３５      青の階調特性データ領域（階調データ記憶手段の一部）
３６      青の階調データ選択回路（階調データ記憶手段の一部）
４０      光センサ（光検出手段）
５０      ディジタルカメラ（撮像手段）
【図１】
2005326790.tif 000003
【図２】
2005326790.tif 000004
【図３】
2005326790.tif 000005
【図４】
2005326790.tif 000006
【図５】
2005326790.tif 000007
【図６】
2005326790.tif 000008
【図７】
2005326790.tif 000009
【図８】
2005326790.tif 000010
【図９】
2005326790.tif 000011
【図１０】
2005326790.tif 000012
【図１１】
2005326790.tif 000013